Podtech/llm-jp-corpus-v4-ja_patent huggingface dataset:
(57)【要約】      （修正有）【課題】イヤホーンやスピーカー用の差し込み口に、ゴミが侵入することを防ぐプラグを提供する。【解決手段】差し込み部分先端Ｂは樹脂材、先端以外Ａは金属でなり、末端Ｃはモチーフを取り付けたテーブル型とする。【選択図】図１
0003175139.tif 000002
【実用新案登録請求の範囲】
【請求項１】
通話、音楽、映像関係などの電気機械具に設置されているイヤホーンやスピーカー用の差し込み口を利用したアクセサリー
【請求項２】
通話、音楽、映像関係などの電気機械具に設置されているイヤホーンやスピーカー用の差し込み口を利用したゴミ侵入防止製品
【考案の詳細な説明】
【技術分野】
【０００１】本考案は、電気機械具に設置されているイヤホーンやスピーカー用の差し込み口を利用したアクセサリー兼ゴミ侵入防止になる製品に関するもの
【背景技術】
【０００２】イヤホーンやスピーカーを使用していない状況の電気機械具は差し込み口からゴミなどが侵入し故障の原因となるため口を塞ぐことが故障を減らすことになります。
【考案の概要】
【考案が解決しようとする課題】
【０００３】イヤホーンやスピーカーの差し込み部分＝プラグ  は、電気機械具の性能に支障が出ないように電気を通電させないように絶縁する材質のものにする必要があります。
また差し込んだ状態で折れてしまうとその後イヤホーンなどが使用できなくなる為、強度も不可欠となります。また電気機械具の外見のデザイン性を損なわず、逆に向上できるようにしたい
【課題を解決するための手段】
【０００４】電気を絶縁する為には樹脂材にする必要がありますが強度は弱くなってしまいます。
また通常のイヤホーン、スピーカープラグは２つのパーツで構成されており、その片方のパーツが＋電極、もう片方は−電極となっています。そこで先端に来るＢのパーツを樹脂材にしてＡのパーツは金属製にしました。さらに末端の部分の形状はＣのようにテーブル型にしています。
【考案の効果】
【０００５】上述の様に製品にすることで電気機械器具の性能に支障を来たさず、ゴミなどの侵入から守ります。またプラグ自体の強度もほぼ下がっていませんので電気機械具の内側で破損することもありません。加えて、末端をテーブル型にしたことでその上にさまざまなモチーフが取り付け可能になりアクセサリーとして使用できます。
【図面の簡単な説明】
【０００６】
【図１】本考案の製品例
【図２】本考案の切断面図
【図３】製品装着イメージ
【考案を実施するための形態】
【０００７】電気機械具にあるイヤホーンやスピーカー用の差し込み口に本考案製品を差し込みます。
【図１】
0003175139.tif 000003
【図２】
0003175139.tif 000004
【図３】
0003175139.tif 000005
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
差し込み部分の先端が樹脂材、先端以外は金属でなり、末端はテーブル型とし、前記テーブル型の上にモチーフを取り付けた事を特徴とするアクセサリー付イヤホーン用ゴミ侵入防止プラグ。
(57)【要約】      （修正有）【課題】擁壁基礎工事に関するもので鋼管パイプに穴をあけて固定する方法を取り入れた固定式擁壁鋼管パイプを提供する。【解決手段】パイプを組む際に鋼管クランプを使うことによって高さや角度の調節が自由にできる。コンパネを取り付ける際に長ねじが固定されているのでブレがないので楽に早く仕上がる例えば河川工事のように生コンクリートを多量に流し込んでもコンパネが外れることがないので安心して作業が出来る。地中にパイプを打ちこむことにより安定感が出来るので従来方式に比べて作業人数も少なくて済む。【選択図】図１
0003175131.tif 000002
【実用新案登録請求の範囲】
【請求項１】
鋼管パイプを使うことによる耐久性
【請求項２】
パイプに固定することによる人件費の削減及び作業効率のスピード化
【請求項３】
固定していることにより作業の無駄がない
【考案の詳細な説明】
【技術分野】
【０００１】考案は擁壁基礎工事に関するもので鋼管パイプに穴をあけて固定する方法を取り入れること
【背景技術】
【０００２】崖崩れ  家の基礎、堀込みガレージ等の新設簡単に仕上げることができる。
【考案の概要】
【考案が解決しようとする課題】
【０００３】今までの基礎朔面の鉄筋組は固定されていないので作業時間がかかっていた
【課題を解決するための手段】
【０００４】この考案は今までの鉄筋に比べて、パイプを用いているので頑丈なため横ブレ縦ブレないので作業が手早く終わる
【考案の効果】
【０００５】作業効率のアップによる人件費の削減及び耐久性
【図面の簡単な説明】
【０００６】
【図１】作業の全体の流れ
【図２】まず、パイプに均等（ここでは４００ｍｍ）に１０〜１２ｍｍの穴をあける。そこに、長ねじ（Ｗ５／１６）を差し込みナット（ユニクロメッキＷ５／１６）を取り付け出幅を調整しピーコンをはめる
【図３】図２のピーコンの先に穴を開けたコンパネをはめ込みホームタイ（８×２Ｂ）を取り付け固定し、それを挟む形で鋼管パイプを取り付ける  取り付けたパイプを固定させるために当て金をし固定する
【図４】組み立てた時の完成図
【考案を実施するための形態】
【０００７】地面からの立ち上がりをコンクリートで壁を作りたいときに使用
山からの斜面、団地における朔面など用途多数
【図１】
0003175131.tif 000003
【図２】
0003175131.tif 000004
【図３】
0003175131.tif 000005
【図４】
0003175131.tif 000006
【手続補正書】
【提出日】平成23年7月22日(2011.7.22)
【手続補正１】
【補正対象書類名】実用新案登録請求の範囲
【補正対象項目名】全文
【補正方法】変更
【補正の内容】
【実用新案登録請求の範囲】
【請求項１】
ねじをつけるために鋼管パイプに均等に１０〜１２ｍｍの穴を開けたパイプを用いて固定し作業を行う固定式擁壁鋼管パイプ
【手続補正２】
【補正対象書類名】明細書
【補正対象項目名】０００６
【補正方法】変更
【補正の内容】
【０００６】
【図１】作業の全体の流れ
【図２】まず、パイプに均等（ここでは４００ｍｍ）に１０〜１２ｍｍの穴をあける。そこに、長ねじ（Ｗ５／１６）を差し込みナット（ユニクロメッキＷ５／１６）を取り付け出幅を調整しビーコンをはめる
【図３】図２のビーコンの先に穴を開けたコンパネをはめ込みホームタイ（登録商標）（８×２Ｂ）を取り付け固定し、それを挟む形で鋼管パイプを取り付ける  取り付けたパイプを固定させるために当て金をし固定する
【図４】組み立てた時の完成図
【手続補正書】
【提出日】平成23年10月18日(2011.10.18)
【手続補正１】
【補正対象書類名】実用新案登録請求の範囲
【補正対象項目名】全文
【補正方法】変更
【補正の内容】
【実用新案登録請求の範囲】
【請求項１】
鋼管パイプに４００ｍｍ毎の等間隔に１０〜１２ｍｍの穴を開け、そこにねじを通してそのねじをパイプにナットで固定する固定式擁壁鋼管パイプ
【手続補正２】
【補正対象書類名】明細書
【補正対象項目名】０００６
【補正方法】変更
【補正の内容】
【０００６】
【図１】作業の全体の流れ
【図２】まず、パイプに均等（ここでは４００ｍｍ）に１０〜１２ｍｍの穴をあけ、そこに、長ねじ（Ｗ５／１６）を差し込みナット（ユニクロメッキＷ５／１６）を取り付け出幅を調整しピーコンをはめる
【図３】図２のピーコンの先に穴を開けたコンパネをはめ込みホームタイ（登録商標）（８×２Ｂ）を取り付け固定し、それを挟む形で鋼管パイプを取り付ける  取り付けたパイプを固定させるために当て金をし固定する
【図４】組み立てた時の完成図
(57)【要約】      （修正有）【課題】全身に蒸気があたる、黄土漢方浴に用いる黄土座器を提供する。効果を持続させるために全身に一度に蒸気をあてる施術方法の必要があった。【解決手段】座器の横に穴を開け、上部に緩やかな傾斜をつける。【選択図】図１
0003175132.tif 000002
【実用新案登録請求の範囲】
【請求項１】
座器にすわりマントをかぶり、全身に蒸気をあてることを、特徴とする温浴漢方施術方法。
【請求項２】
蒸気を逃がさず、全身にあてるためのマント、タオルなどを用いて、体のポーズをかえることによる温浴効果、発汗効果を高めることを特徴とする請求項１記載の温浴漢方施術方法。
【考案の詳細な説明】
【技術分野】
【０００１】  この考案は、美容施術に用いる黄土よもぎ蒸し漢方浴に関する。
【背景技術】
【０００２】  黄土漢方浴は図１に示すように座器をセットし、マントをかぶりよもぎと数種類のハーブ、生薬を煎じた蒸気がマント内から逃げないように首から下の体の箇所にあてて、温浴効果、発汗効果を高めるものである。
【考案の概要】
【０００３】  体の一部分のみに発汗効果をうながす施術を行っても、施術後の短い時間で効果はうすれてしまうものである。
長時間の効果持続を期待するには、できるだけ全身に同時に施術を行うことであり、それを実践するには全身に蒸気をあてるようにしないといけない。
そこで、この考案は一度に全身に蒸気をあてやすくすることを課題とする。
【課題を解決するための手段】
【０００４】  以上の課題を解決するために、第一考案は、マントを使用、さらには首にタオルを巻くことにより、全身に蒸気があたるようにすることである。
また、第二考案は、マントを使用時に体のポーズを変えていくことにより、いっそう全身に蒸気があたりやすくすることである。
【考案の効果】
【０００５】  第一考案、または第二考案によれば、全身をマントとタオルで覆い体のポーズを変えたので、蒸気が全身にあたるようになった。
【図面の簡単な説明】
【０００６】
【図１】この考案の施術を示す。
【考案を実施するための施術の仕方】
【０００７】  この考案の施術の仕方を、図１に示す。
【図１】
0003175132.tif 000003
【手続補正書】
【提出日】平成23年11月1日(2011.11.1)
【手続補正１】
【補正対象書類名】実用新案登録請求の範囲
【補正対象項目名】請求項１
【補正方法】変更
【補正の内容】
【請求項１】
全身に蒸気をあてることを、目的にするために座器の横に穴を開けたことを特徴とする黄土座器。
【手続補正２】
【補正対象書類名】実用新案登録請求の範囲
【補正対象項目名】請求項２
【補正方法】変更
【補正の内容】
【請求項２】
全身に蒸気をあてたのち、体内から出た汗や排出物を座器下の壺に自然に集めることを目的とするために緩やかな傾斜を上部につけることを特徴とする黄土座器。
【手続補正３】
【補正対象書類名】明細書
【補正対象項目名】０００１
【補正方法】変更
【補正の内容】
【０００１】    この考案は、美容施術の黄土漢方浴に用いる黄土座器に関する。
【手続補正４】
【補正対象書類名】明細書
【補正対象項目名】０００３
【補正方法】変更
【補正の内容】
【０００３】    全身にマントを覆い全身に蒸気があたるようにこころみるが、座器の内部に蒸気が溜まりうまく全身にゆき届かないものである。蒸気があたり、体内から出た汗や排出物が出た際、座器の外側などに付着し、座器下に設置した壺に集められないのでは、漢方浴後の発汗や排出物の掃除にとまどうので、設置した壺に自然とうまく集められるようにしなければならない。そこで、この考案は全身に蒸気をあてやすくすることおよび体内から出た汗や排出物をうまく集めることを課題とする。
【手続補正５】
【補正対象書類名】明細書
【補正対象項目名】０００４
【補正方法】変更
【補正の内容】
【０００４】    以上の課題を解決するために、第一考案は、座器の側部に小さな穴を開けることにより、全身に蒸気があたるようにすることである。  また、第二考案は、座器上部に、ゆるやかな傾斜をつけることにより汗や排出物を座器下の壺に自然と集められることである。
【手続補正６】
【補正対象書類名】明細書
【補正対象項目名】０００５
【補正方法】変更
【補正の内容】
【０００５】      第一考案、または第二考案によれば、全身に蒸気があたるようになり、汗や排出物も座器下の壺にうまく集められるようになった。
【手続補正７】
【補正対象書類名】明細書
【補正対象項目名】０００６
【補正方法】変更
【補正の内容】
【０００６】
【図１】この考案の背景技術を示す。
【図２】この考案の座器を示す。
【手続補正８】
【補正対象書類名】明細書
【補正対象項目名】０００７
【補正方法】削除
【補正の内容】
【手続補正１０】
【補正対象書類名】図面
【補正対象項目名】図２
【補正方法】追加
【補正の内容】
【図２】
0003175132.tif 000004
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
全身に蒸気をあてることを、目的にするために座器の横に穴を開けたことを特徴とする黄土座器。
【請求項２】
全身に蒸気をあてたのち、体内から出た汗や排出物を座器下の壺に自然に集めることを目的とするために緩やかな傾斜を上部につけることを特徴とする請求項１記載の黄土座器。
(57)【要約】      （修正有）【課題】ボールペンのインクの充てん容器と全く同じ形状の容器に修正液を充てんし、インクと併用して装着し、利用することにより、携帯、利用共に格段と便利となり、中味が空になったときに、修正液カートリッジだけを交換しての反復利用が可能となる、多色型ノック式ボールペンを提供する。【解決手段】多色型ノック式ボールペンの複数の芯のうちの１本を、ボールペンのインク充てん容器と同じ形状の容器に修正液を充てんしたものと入れ替えることで、ノックするだけで、複数の色のインクと同時併用して修正液を使用できる多色型ノック式ボールペンとする。【選択図】図１
0003175143.tif 000002
【実用新案登録請求の範囲】
【請求項１】
多色型ボールペンのインク充てん容器と同じ形状の容器にインク等修正液を充てんし、ノックするだけで、複数の色のインクと同時併用して修正液を使用できるようにする形式のノック式ボールペンタイプのインク等修正液
【考案の詳細な説明】
【技術分野】
【０００１】  この考案は、多色型ボールペンの換芯と同形状の容器にインク等修正駅を充てんし、ボールペンと修正液を同時に携帯し、利用することを可能とするものである。
【背景技術】
【０００２】  従来、ボールペンの形をした修正液や、ボールペンの芯と反対側に修正液を装備したペン状のものは存在するが、ワンタッチで同じサイドから、ボールペンと修正液を交互に使えるものは存在しない。
【考案の概要】
【考案が解決しようとする課題】
【０００３】  従来のタイプは、結局、ボールペンと修正液を別々に携行するか、あるいは、ペンと修正液の利用サイドが正反対となり、利用しづらいものであった。
そして、何より、修正液あるいはボールペンのどちらかを使い切ると、交換・再利用ができない問題があり、無駄が多かった。
【課題を解決するための手段】
【０００４】  多色型ボールペンのインク充てん容器と同じ形状の容器内に、修正液を充てんすることにより、修正液をボールペンの１本の代わりとして、そのまま利用することができる。
【考案の効果】
【０００５】  この考案により、多色ボールペンの芯をノックして交換するのと同じ感覚で修正液を利用することができる。加えて、修正液を使い切っても、修正液の充てん容器だけを取り換え、補充して、使うことができ、無駄がなく効率的である。
【図面の簡単な説明】
【０００６】
【図１】本考案の概略図面である。
【考案を実施するための形態】
【０００７】  多色ボールペンをノックして選択利用する色をかえるのと同じ感覚で、修正液を選択して、ノックし、軽く力を加えることにより修正液を塗布することができる。
【実施例】
【０００８】  ボールペンで書き損じた場合、ノックボタンで修正液を選択し、書き損じた文字を白塗り消去することにより、修正をワンタッチ、瞬時にして行うことができる。
【図１】
0003175143.tif 000003
【手続補正書】
【提出日】平成24年1月31日(2012.1.31)
【手続補正１】
【補正対象書類名】実用新案登録請求の範囲
【補正対象項目名】全文
【補正方法】変更
【補正の内容】
【実用新案登録請求の範囲】
【請求項１】
多色型ノック式ボールペンの複数の芯のうちの１本を、ボールペンのインク充てん容器と同じ形状の容器に修正液を充てんしたものと入れ替えることで、ノックするだけで、複数の色のインクと同時併用して修正液を使用できる多色型ノック式ボールペン
(57)【要約】      （修正有）【課題】箱積み作業の際常に定位置での作業を可能とし、平衡な状態が崩れない為荷崩れが少ない回転台車を提供する。【解決手段】フットペダル１を踏むことにより、台車引き部２が台車の四隅に設けてある棒を引っ張り台車に設置してあるキャスター３がレールの山を上り、自重に下る、その際レールに傾斜を同心円状に４箇所均等に設け台車を常に平衡な状態で回転する。踏み込んだフットペダル１はバランサー４にて常に引っ張っている為足を外すと自動的に初期位置に戻る。この繰り返しである。【選択図】図１
0003175145.tif 000002
【実用新案登録請求の範囲】
【請求項１】
レールに傾斜を同心円上に４個所均等に設けることで回転の際平衡な状態で回転をし且つそれを４分割にしているため４分の１（９０度）ずつの回転を可能とした回転台車。
【考案の詳細な説明】
【技術分野】
【０００１】  本考案は、４分の１（９０度）ずつ回転を繰り返す台車に関するものである。
【背景技術】
【０００２】  パレットに段ボールやプラスチックケースなどの製品箱を乗（置く）せる場合、製品箱を手に持った状態でパレットの周りを歩き、パレットに乗せていた。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  製品箱を手に持った状態での歩行は無駄な歩行でもあり危険でもある。また、パレットの周りを移動するのは労働的負担である。
従って、人がパレットの周りを移動するのではなく、パレットの方を回転させ前述の欠点を解決しようとするものである。
【課題を解決するための手段】
【０００６】  本考案は、フットペダルを踏むことにより、台車を９０度ずつ回転するようにし、且つレールに傾斜を同心円上に４個所均等に設けることで、台車は常に平衡を保ちながら回転させ、作業者は、常に一定の位置での製品箱の積み上げ作業を行うことができ問題点を解決している。
【考案の効果】
【０００７】  ９０度ずつ回転する為、常に手元に積み上げ位置がくるようになり作業効率が向上。しかも、台車は常に平衡を保ちながら回転する為、荷崩れもなく安全な状態での作業出来る。
【図面の簡単な説明】
【０００８】
【図１】  本考案の回転台車を示す上からの図。
【図２】  フットペダルから台車引き部までの平面図。
【図３】  レールの平面図。
【図４】  ２の台車引き部の拡大図。
【考案を実施するための形態】
【０００９】  レールに傾斜を同心円状に４箇所設けたことによりフットペダルを踏むことで台車を平衡な状態でレールの最上部まで上げ、平衡な状態で下がっていく。その際フットペダルで力を加えるのは台車を上げるときに限り、下りの際は台車の自重にて下っていく。
フットペダルをＶ字型に設け、テコを利用し軽く作動できるようにし、フットペダルからワイヤーを伸ばし、大小２種類の丸棒を付け、小さい方はワイヤーに繋げ、大きい方は小さい丸棒を覆いレールの役割を果たしている。
その先に蝶番を設け、台車の四隅に丸棒を縦に設置しフットペダルを踏むことにより蝶番が台車を引き上げレールの山を乗り越える構造になる。
【実施例】
【００１０】  以下、添付図面に従って一実施例を説明する。１のフットペダルを踏むと先に設けてある２の台車引き部が台車の四隅に設けてある棒を引っ張り、台車に設置してある３のキャスターがレールの山を上り、自重にて下っていく。
１の踏み込んだフットペダルは４のバランサーにて常に引っ張っている為足を外すと自動的に初期位置に戻る。【００１１】  台車が４分の１回転（９０度）をし止る際、５の台車の四隅に設けてある丸棒が６の蝶番と接触し通過する。その際７のスプリングは６の蝶番と繋がっており５の丸棒が６の蝶番を通過する際台車に抵抗を与え、台車は減速しながら６の蝶番を通過後台車のキャスター４輪がすべてレールの坂の最下部に来る為台車は停止する。【００１２】  ６の蝶番は一定方向にしか動かない為、台車が逆回転しようとしたときも、ストッパーの役割を果たしている。
【符号の説明】
【００１３】１  フットペダル
２  台車引き部
３  キャスター
４  バランサー
５  台車四隅の丸棒
６  蝶番
７  スプリング
【図１】
0003175145.tif 000003
【図２】
0003175145.tif 000004
【図３】
0003175145.tif 000005
【図４】
0003175145.tif 000006
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
中心部がくり貫いてある円状の鉄板に同心円状４筒所均等に傾斜を設けたレールを製作し、４つの固定輪キャスターを付けた正方形型の台車をレールに乗せ、台車が静止状態の場合は４つの固定輪キャスターすべてがレールの傾斜の最下部に位置し、人力で台車に力を加えることにより４つの固定輪キャスターがすべてレールの傾斜を上り、あとは自重にて下って行き９０度の回転を可能とした回転台車。
【手続補正２】
【補正対象書類名】明細書
【補正対象項目名】０００８
【補正方法】変更
【補正の内容】
【０００８】
【図１】本考案の９０度平衡回転台車を示す平面図。
【図２】フットペダルから台車引き部までの展開図。
【図３】回転台車の展開図。
【図４】レールの展開図。
【図５】レール上での平衡回転の概略図。
【図６】台車引き部の拡大図。
【図７】台車引き部のストッパー機能。
【手続補正３】
【補正対象書類名】明細書
【補正対象項目名】００１３
【補正方法】変更
【補正の内容】
【００１３】１  フットペダル２  台車引き部３  キャスター４  バランサー５  台車四隅の丸棒６  蝶番７  スプリング８  台車回転軸９  台車軸受け
【手続補正４】
【補正対象書類名】図面
【補正対象項目名】全図
【補正方法】変更
【補正の内容】
【図１】
0003175145.tif 000007
【図２】
0003175145.tif 000008
【図３】
0003175145.tif 000009
【図４】
0003175145.tif 000010
【図５】
0003175145.tif 000011
【図６】
0003175145.tif 000012
【図７】
0003175145.tif 000013
(57)【要約】      （修正有）【課題】洗濯回数を少なくする布団掛カバーを提供する。【解決手段】生地の用尺も、必要最少限にして、手軽に洗濯を楽しめる。長さ８０ｃ、巾１４５の布を二つ折りにして、輪にした状態でピンタック、０、２ｃ巾を１本つまむ。これで外ズレ、内ズレを防ぐ為の効果的なものとなる。両角サイドを１２ｃ程、縫い残し、その穴から布団の角を出し、リボンで結ぶ。【選択図】図１
0003175141.tif 000002
【実用新案登録請求の範囲】
【請求項１】
カバーの輪のピンタックと、二つの角の穴を明ける事によるズレ防止です。
【考案の詳細な説明】
【技術分野】
【０００１】本考案は大きい掛布団カバーの洗濯回数を少くする物です。
【考案の概要】
【０００２】掛布団カバーの取り扱いが楽になる様に。
【考案が解決しようとする課題】
【０００３】無駄な労力を使わず、快適な時を少しでも多く持つ事が出来る様に。
【課題を解決する為の手段】
【０００４】余り汚れてない部分も一括して、洗って居りましたが部分的なカバーリングによって、３回の洗濯も、取り外しが楽な為１回で済みます。
【考案の効果】
【０００５】洗濯回数が減りますから、エコにもなりクリーンですから、高齢者には喜ばれると思って居ります。
【図面の簡単な説明】
【０００６】
【図１】掛布団カバー、カバーの正面図です。
【考案を実施するための形態】
【０００７】長さ８０ｃ、巾１４５の布を二つ折りにして、輪にした状態でピンタック、０、２ｃ巾を１本つまみます。これで外ズレ、内ズレを防ぐ為の効果的なものとなります。両角サイドを１２ｃ程、縫い残し、その穴から布団の角を出し、リボンで結びます。
【図１】
0003175141.tif 000003
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
輪にした状態のカバーにピンタックを取り、カバーの両隅に穴を開けリボンで布団の端を結ぶ事により外ズレ、内ズレを防ぐ様、工夫された掛布団カバー用のカバー。
(57)【要約】      （修正有）【課題】詰め替え用の容器の注入口がずれたり詰まったりすることがなく、容易に詰め替えができるポンプ式ボトルを提供する。【解決手段】従来のボトル上部の開口部の替わりに、、ボトルの大きい胴体部の上端を開口し、付け外し式の蓋を設けることによって、詰め替え容器の注入口がずれることなく、容易に行えるようにする【選択図】図１
0003175144.tif 000002
【実用新案登録請求の範囲】
【請求項１】
シャンプー等の容器のポンプ部以外に開口部を設け、詰め替え用の袋からの詰め替えを容易にできるボトル
【考案の詳細な説明】
【技術分野】
【０００１】  本考案はシャンプー等のボトルに関するものである。
【背景技術】
【０００２】  シャンプー等の詰め替え用の袋からボトルに詰め替えをする際、ポンプ部分の開口部から詰め替えをしていた。
【考案が解決しようとする課題】
【０００３】  シャンプー等を詰め替え用の容器からボトルへ移し替えるとき、開口部が小さいために入れにくくこぼれてしまうことがよくある。
【課題を解決するための手段】
【０００４】  従来のボトル上部の一段細くなっているポンプ部分の取付開口部の替わりに、ボトルの大きい胴体部の上端を開口し、付け外し式の蓋を設け、この蓋が直接ポンプと一体に形成されている。
以上を特徴とする、シャンプー等の容器の胴体と同じ広さの開口部を有するポンプ式ボトルである。
【考案の効果】
【０００５】  開口部が広いので、詰め替え用の容器の注入口がずれたり詰まったりすることがなく、容易に詰め替えができる。
【考案を実施するための形態】
【０００６】以下、本考案の実施の形態を説明する。
（イ）従来のボトル上部の一段細くなっているポンプ部分の取付開口部の替わりに、ボトルの大きい胴体部（１）の上端（２）を開口し、付け外し式の蓋（３）を設け、この蓋が直接ポンプと一体に形成されている。
以上を特徴とする、シャンプー等の容器の胴体と同じ広さの開口部を有するポンプ式ボトルである。
（ロ）本発明は以上のような構造であり、これを実際に使用するときは、この開口部からシャンプー等の移し替えをする。
（ハ）なお、蓋とポンプが一体に形成できない場合は、ポンプ部分の取付開口部はそのまま残し、それとは別にボトル胴体部に蓋を設けるものとする。
【図面の簡単な説明】
【０００７】
【図１】本考案の外観図
【符号の説明】
【０００８】１  ボトル胴体部
２  ボトル上端開口部
３  付け外し式の蓋
【図１】
0003175144.tif 000003
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
ポンプ部と、上端に開口部を有する胴体部と、該開口部に付け外し可能な蓋部とを備えた、シャンプー等の容器の胴体と同じ広さの開口部を有するポンプ式ボトル。
(57)【要約】      （修正有）【課題】台車を狭い場所で軽作業で回転交換をすることができる台車回転補助器を提供する。【解決手段】回転補助器本体１にカム５を設け、回転補助器本体１の上部に上下動する可動板４を設ける。カム５を使用して可動板４を上昇させ、台車２を持ち上げる。【選択図】図１
0003175146.tif 000002
【実用新案登録請求の範囲】
【請求項１】
台車を回転させる為、台車を持ち上げる為カムを使用した可動板を設け軽作業・狭い場所で使用出来る回転補助器。
【考案の詳細な説明】
【技術分野】
【０００１】  本考案は、狭い場所で台車を回転させる為の、台車補助器に関するものである。
【背景技術】
【０００２】  作業エリアが狭く、台車の回転・交換時広い場所に持って行って台車を回転・交換していた。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  作業エリアが狭く、回転・交換の為のスペースが必要になる。
さらに、回転・交換時の移動は時間的、労働的に負担である。
従って、台車回転補助器を使用する事で狭い場所で台車を軽作業・回転交換が可能になり、現在の問題点を解決しようとするもである。
【課題を解決するための手段】
【０００６】  本考案は、台車回転補助器の可動板を上下動させ、台車固定輪側を持ち上げる。台車接地面の回転輪と補助器の固定輪で回転させ問題点を解決している。
【考案の効果】
【０００７】  上述の様に、本考案の回転補助器は台車を持ち上げ、その場で回転出来るようになったので、軽作業・狭い場所で使用出来る。
【図面の簡単な説明】
【０００８】
【図１】  本考案の台車回転補助器の全体図である。
【図２】  可動板上昇機構の断面図である。
【考案を実施するための形態】
【０００９】台車を回転補助器にセット、ペダルを踏み込み可動板を上昇させ台車を持ち上げる、台車と回転補助器の輪で台車が回転回転する。
もう一度ペダルを踏み込めば可動板が下降、台車セット解除となる。
【実施例】
【００１０】  以下、添付図面に従って一実施例を説明する。
２は台車、１は台車を回転させる為の回転補助器、２を１にセットし、３を踏み込む。４が上昇、２が持ち上がる。【００１１】  ３を踏み込みと５が連動し４が上昇する。もう一度３を踏み込めば５が連動し４が下降する。【００１２】本考案の一実施例は上述の如き構成からなるものである。
【符号の説明】
【００１３】１  回転補助器本体
２  台車
３  フットペタル
４  可動板
５  カム
６ａ  回転輪（台車）
６ｂ  固定輪（台車）
７  固定輪（回転補助器本体）
８  台車ズレストッパー
【図１】
0003175146.tif 000003
【図２】
0003175146.tif 000004
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
回転補助器本体にカムを設け、回転補助器本体上部に上下動する可動板を設け、カムを使用し可動板を上昇させ台車を持ち上げ台車を回転させる回転補助器。
【手続補正２】
【補正対象書類名】図面
【補正対象項目名】全図
【補正方法】変更
【補正の内容】
【図１】
0003175146.tif 000005
【図２】
0003175146.tif 000006
(57)【要約】      （修正有）【課題】マウス使用時に接続ケーブルが邪魔にならないようにするとともに、接続ケーブル、コネクタを収納し、持ち運びしやすいマウスを提供する。【解決手段】マウス本体１０周囲の収納溝で接続ケーブル１１を巻取り、ストッパーで止める事により、接続ケーブルの長さを調節可能とし、接続ケーブル、コネクタ１２を収納する事で持ち運び時に邪魔にならないようにする。【選択図】図２
0003175607.tif 000002
【実用新案登録請求の範囲】
【請求項１】
情報を指示するポインティングデバイスとして用いられるマウスであって、入力操作部を有するマウス本体と、前記マウス本体に巻取り可能に接続されるとともに、パーソナルコンピュータと接続するためのコネクタを有する接続ケーブルと、マウス本体周囲に前記接続ケーブルを巻取るための溝と、マウス本体周囲にストッパーを有する事を特徴とするマウス。
【請求項２】
請求項１記載のマウスにおいて、前記マウス本体に前記コネクタを収納可能である事を特徴とするマウス。
【請求項３】
請求項１又は２記載のマウスにおいて、前記マウス本体周囲のストッパーを利用する事で、前記接続ケーブルを使用しやすい長さに調節することができる事を特徴とするマウス。
【考案の詳細な説明】
【技術分野】
【０００１】この考案は、マウス本体周囲のストッパーを利用する事により、使用しやすい長さに調節できるようにしたものである。
【背景技術】
【０００２】ポインティングデバイスとして用いられるマウスは、マウス本体から接続ケーブルを延長し、この接続ケーブルのコネクタをパーソナルコンピュータに接続する。通常、上記接続ケーブルは伸縮不能な固定長であり、狭い机の上では不要に延びた接続ケーブルが邪魔になる場合がある。
【特許文献】
【０００３】
【特許文献１】登録実用新案第３０６８８０８号
【考案が解決しようとする課題】
【０００４】マウス本体使用時に接続ケーブルが邪魔にならないようにする。
【０００５】この考案は、こうした課題を解決するもので、他の道具を利用せずに、マウス本体のみで接続ケーブルを収納するとともに、接続ケーブルを使用しやすい長さに調節できる事を目的とするものである。
【課題を解決するための手段】
【０００６】上記の課題を解決するため、マウス本体周囲の溝で接続ケーブルを巻取り、ストッパーで止める事により、接続ケーブルの長さを調節可能とする。
【考案の効果】
【０００７】この考案は以上のように構成され、この巻取り式マウスを用いることで、接続ケーブルが邪魔になることがなく、効率よく使用する事が出来る。
【図面の簡単な説明】
【０００８】
【図１】本考案の巻取り式マウスを説明するための図
【図２】本考案の巻取り式マウスの平面図と底面図
【図３】本考案の巻取り式マウスの正面図
【符号の説明】１０  マウス本体
１１  接続ケーブル
１２  コネクタ
１３  ストッパー
１４  接続ケーブル収納溝
１５  収納部
【考案を実施するための形態】
【０００９】以下に、この考案の実施の形態を、図面に基づいて説明する。
この考案の巻取り式マウスは、図１に示すように構成され、接続ケーブル１１を接続ケーブル収納溝１４に巻いて収納し、ストッパー１３を利用して接続ケーブルの長さを調節可能になっている。
【図１】
0003175607.tif 000003
【図２】
0003175607.tif 000004
【図３】
0003175607.tif 000005
【手続補正書】
【提出日】平成24年2月24日(2012.2.24)
【手続補正１】
【補正対象書類名】実用新案登録請求の範囲
【補正対象項目名】全文
【補正方法】変更
【補正の内容】
【実用新案登録請求の範囲】
【請求項１】
情報を指示するポインティングデバイスとして用いられるマウスであって、入力操作部を有するマウス本体と、前記マウス本体に巻取り可能に接続されるとともに、パーソナルコンピュータと接続するためのコネクタを有する接続ケーブルと、マウス本体周囲に前記接続ケーブルを巻取るための溝と、マウス本体周囲にストッパーを有する事を特徴とするマウス。
【請求項２】
請求項１記載のマウスにおいて、前記マウス本体の底面に凹部を設けた事を特徴とするマウス。
【請求項３】
請求項１又は２記載のマウスにおいて、前記マウス本体周囲のストッパーを利用する事で、前記接続ケーブルを使用しやすい長さに調節することができる事を特徴とするマウス。
(57)【要約】      （修正有）【課題】トラック等の荷台付車輌に設置するものであり、展開型テント機能及び敷物機能、並びに運転席の日よけ機能を併せ持つ多機能型荷台カバーを提供する。【解決手段】シートを荷台部分に覆い被せ、ゴム紐等で車輌に留める。棒取り付け器具に伸縮可能である棒を固定し、棒の先端とシートの後端部を接続し棒を伸ばす。そうすればテントとなるシートが引っ張られ屋根部分を形成する。テントの角度を調整することが可能であり、棒の伸縮または棒取付け器具の角度に応じて変化する。車輌の後部ボディーから後ろに展開されるテント部分が特に日陰をつくりだすことになる。敷物シートとして使用する場合は、棒取付け器具から、伸縮可能である棒を取り外し荷台に収納しておく。そうすればテント屋根シート部分が地面に降り、敷物として使用することが出来る。【選択図】図１
0003175605.tif 000002
【実用新案登録請求の範囲】
【請求項１】
トラック等の荷台付車輌等に設置することが出来る、変形可能型テント機能及び敷物機能、並びに運転席の日よけ機能を一体的にあわせもつ多機能型荷台カバー。
【考案の詳細な説明】
【技術分野】
【０００１】  本考案は、荷台付車輌等の荷台にシート状のものを設置し、シートの一部分が屋根状のテント及び敷物又は運転席の日よけ等の用途として使用することが出来るという考案に関するものである。
【背景技術】
【０００２】  軽トラック等の荷台のカバーとして一般的に積載物及び荷台を覆うカバーがある。
それらの機能は積載物の飛散防止、防雨等の機能を持つカバーがある。
【考案が解決しようとする課題】
【０００３】  生活や産業のあらゆる場合において、屋外で作業等を行うにあたり屋根が無いために強い日差しや風雨にさらされることがある。また、地面に敷くものが無く、やむを得ず状態の悪い地面に直に腰を下ろすことがある。それらの不快適な状況等を快適にするための課題を解決しようとする考案である。
【課題を解決するための手段】
【０００４】  本考案は、トラック等の荷台付車輌に、テント機能及び敷物機能等を持つ骨組み及びシートを設置しすることにより、日差しの強い日には日よけ等をすることが出来、雨天時には防雨等をすることが出来る。また形状を変化させることにより敷物又は運転席の日よけ等として使用することが出来る。
【考案の効果】
【０００５】  本考案により、日陰のない屋外作業現場等で使用すると屋根を形成し日陰を作ることが出来るため、日差しを遮ることが出来る。これにより強い日差しからくる人体への影響及び熱中症等の対策になる。また、形状を変化させることにより敷物又は運転席の日よけ、冬季の運転席窓ガラス凍結防止としても使用することが出来るため、快適性及び衛生的、利便性にも効果がある。
【図面の簡単な説明】
【０００６】
【図１】  テント形態の斜視図
【図２】  敷物形態の斜視図
【図３】  運転席日よけ形態の斜視図
【考案を実施するための形態】
【０００７】  本考案をテント形態で使用するにあたっては、シートを荷台部分に覆い被せ、ゴム紐等で車輌に留める。棒取り付け器具に伸縮可能である棒を固定し、棒の先端とシートの後端部を接続し棒を伸ばす。そうすればテントとなるシートが引っ張られ屋根部分を形成する。テントの角度を調整することが可能であり、棒の伸縮または棒取付け器具の角度に応じて変化する。車輌の後部ボディーから後ろに展開されるテント部分が特に日陰をつくりだすことになる。
敷物シートとして使用する場合は、棒取付け器具から、伸縮可能である棒を取り外し荷台に収納しておく。そうすればテント屋根シート部分が地面に降り、敷物として使用することが出来る。
収納の際は、荷台後部ボディーから後ろに広げられている部分をロール状に巻き取り、そのまま荷台に収納する。または巻き取ったロール状シートを紐等でくくり、荷台後部ボディーの外側に固定収納する。
本シートを運転席後部のシートを留めている垂直面ボディー部分から運転席天井を覆い車輌の前面まで被せると運転席の日よけ及び断熱をすることができる。
【符号の説明】
【０００８】Ａ、・・・本考案のテント形態時のシート
Ｂ、・・・本考案のテント形態時の棒取付け器具
Ｃ、・・・本考案のテント形態時の棒
Ｄ、・・・本考案の敷物形態時のシート
Ｅ、・・・本考案の敷物形態時の収納された棒
Ｆ、・・・本考案の運転席日よけ形態時のシート
Ｇ、・・・本考案の運転席日よけ形態時の収納された棒
【図１】
0003175605.tif 000003
【図２】
0003175605.tif 000004
【図３】
0003175605.tif 000005
【手続補正書】
【提出日】平成23年11月18日(2011.11.18)
【手続補正１】
【補正対象書類名】実用新案登録請求の範囲
【補正対象項目名】全文
【補正方法】変更
【補正の内容】
【実用新案登録請求の範囲】
【請求項１】
トラック等の荷台付車輌に設置することが出来る、変形可能型テント。
敷物機能、運転席の日よけ機能を一体的にあわせもつ多機能型荷台カバー。
【手続補正書】
【提出日】平成24年2月24日(2012.2.24)
【手続補正１】
【補正対象書類名】実用新案登録請求の範囲
【補正対象項目名】全文
【補正方法】変更
【補正の内容】
【実用新案登録請求の範囲】
【請求項１】
トラック等の荷台付車輌に設置することが出来る敷物機能、運転席の日よけ機能を一体的にあわせもつ多機能型荷台カバー。
(57)【要約】      （修正有）【課題】シンプルかつ簡単な方法でパッティングの上達を図る練習具を提供する。【解決手段】板部１と突起２からなる樹脂製部品と、突起外周より大きめの孔４を有するシール３とからなる。ゴルフパター７並びにパークゴルフ用クラブのヘッド５に貼り付けて用いる。【選択図】図３
0003175613.tif 000002
【実用新案登録請求の範囲】
【請求項１】
本物品は、一般的なゴルフパター並びにパークゴルフ用クラブのヘッドに、板部と突起からなる樹脂製部品を突起外周より大きめの孔を有するシールによって貼り付けて用いるパッティングの上達を目的とした練習具である。
【考案の詳細な説明】
【技術分野】
【０００１】    本考案は、ゴルフならびにパークゴルフ用クラブにおけるパッティングの練習において、板部１と突起２からなる樹脂製部品を、パター７のヘッド５に突起２の外周より大きめの孔４を有するシール３によって貼り付けるだけのシンプルで簡単な方法を取ることによりパッティングの上達を目的としたパッティング練習具である。
【背景技術】
【０００２】    これまで、パッティング練習具は多々販売されているが、複雑な仕組みや大掛かりな仕組みのものであった。
【考案の開示】
【考案が解決しようとする課題】
【０００３】  本考案は、大がかりな構造や装置、手法を用いることなくシンプルかつ簡単な方法でパッティングの上達を達成することを目的とする。
【課題を解決するための手段】
【０００４】    以上の課題を解決するために、板部１と突起２からなる本考案物品を一般的なパター７のヘッド５のガイドライン８に対して突起２の中心になるように、突起２外周より大きめの孔４を有するシール３を突起２を通す形で貼り付けて用いることを特徴とするパッティング練習具である。
【考案の効果】
【０００５】    パッティングの上達にはゴルフボール６を芯でとらえることが重要とされる。装着された本考案物品は突起２がヘッド５の中心部に該当するように配置されている。この状態は、ゴルフボール６を芯で捉えるためのガイドとなるとともに、パットを行うことで、突起部２がゴルフボール６のどこにあたるかの状況を目視で見極めることが容易に可能となる。例えば芯にあたる場合は直進し、芯を外れている場合は屈曲して転がるという具合に容易に判断できる。この練習を繰り返すことで芯で捉える正確なパッティングの練習を行うことが可能となり、本物品を取り外し実際のパッティングの際には確実に芯を捉えることが期待できる。また、貼り付けるだけというシンプルな物品なため、これまでのパッティング練習具よりシンプル、簡単かつ安価に提供することが可能となる。
【考案を実施するための最良の形態】この考案の一実施形態を以下に示す。【０００６】    図１は本考案の外観斜視図である。
板部１と突起２からなる本考案物品を示した図である。【０００７】    図２は本考案物品をヘッド５に貼り付けるシール３の外観斜視図である。
シール３は突起２外周より大きめの孔４を備えることを示した図である。【０００８】    図３は本考案をヘッド５にシール３で取り付ける位置を示した外観斜視図である。【０００９】    図４は本考案をヘッド５に対してシール３で貼り付け、本考案の実施形態を示した外観斜視図である。【００１０】    図５は本考案の実施形態におけるパッティング練習における実施形態を示した上面図である。【００１１】    「実施形態の効果」
本考案を装着したパター７がパッティング時にゴルフボール６に対して芯で捉えるためのガイドとなるとともに、パットを行うことで、突起部２がゴルフボール６のどこにあたるかの状況を目視で見極めることが容易に可能となることを示している。
【図面の簡単な説明】
【００１２】
【図１】本考案の外観斜視図である。
【図２】シール３の外観斜視図である。
【図３】本考案をヘッド５に貼り付ける位置を示した図である。
【図４】本考案の実施形態を示した外観斜視図である。
【図５】本考案のパッティング練習時における実施形態を示した上面図である。
【符号の説明】
【００１３】      １  板部
２  突起
３  シール
４  孔
５  ヘッド
６  ゴルフボール
７  パター
８  ガイドライン
【図１】
0003175613.tif 000003
【図２】
0003175613.tif 000004
【図３】
0003175613.tif 000005
【図４】
0003175613.tif 000006
【図５】
0003175613.tif 000007
【手続補正書】
【提出日】平成24年2月21日(2012.2.21)
【手続補正１】
【補正対象書類名】実用新案登録請求の範囲
【補正対象項目名】請求項１
【補正方法】変更
【補正の内容】
【請求項１】
ゴルフパター並びにパークゴルフ用クラブのヘッドに貼り付けて用いるパッティングの上達を目的とした練習具であって、板部と突起からなる樹脂製部品と、突起外周より大きめの孔を有するシールとからなる練習具。
(57)【要約】      （修正有）【課題】住宅及び土木の基礎工事で生コンクリート打設時に型枠を安定保持し、錆びない巾止め器具を提供する。【解決手段】鋼性型枠及び木製型枠１の巾止め器具２を硬質プラスチックにする。【選択図】図１
0003175636.tif 000002
【実用新案登録請求の範囲】
【請求項１】
鋼製型枠及び木製型枠の硬質プラスチック製の巾止め器具
【考案の詳細な説明】
【技術分野】
【０００１】  本考案は、住宅その他土木基礎工事で鋼製型枠及び木製型枠を使用し、生コンクリートを打設工事の型枠の安定保持する器具である。
【背景技術】
【０００２】  打設工事の型枠保持器具で金属製の物が一般的である。
【考案が解決しようとする課題】
【０００３】  住宅その他土木基礎工事で鋼製型枠及び木製型枠を使用し生コンクリートを打設工事の型枠の安定保持器具は、金属製が一般的であるが打設工事後安定保持器具を取り外した場合、金属破片が生コンクリート面に残り錆び等が発生し品質面に悪影響を与えるばかりか、施工者に怪我等の原因になっている。
【課題を解決するための手段】
【０００４】  本考案は硬質プラスチックにすることにより錆び、金属破片等の問題点を解決する。
【考案の効果】
【０００５】  本考案により、保管時の錆びカビ等の防止、重量軽減による施工者の疲労軽減にもなる。
【図面の簡単な説明】
【０００６】
【図１】  斜視図
【考案を実施するための形態】
【０００７】  本考案を従来の金属製の器具と同じ形態で使用する。
【符号の説明】
【０００８】  ▲１▼・・・鋼製型枠及び木製型枠
▲２▼・・・本考案の硬質プラスチック製の巾止め器具
【図１】
0003175636.tif 000003
(57)【要約】      （修正有）【課題】過熱水蒸気を用いた足温熱器を提供する。【解決手段】足温熱器本体２と、過熱蒸気発生器８、本体２と過熱蒸気発生器８を接続する蒸気パイプ７からなり、足温熱器本体２には、足をいれるための足入れ口３と、内部に足乗せ台４を備え、過熱蒸気発生器８は、過熱蒸気発生器８１、温度調整部８２、水タンク８３からなり、水タンク８３から供給された水を加熱して約１５０度の過熱水蒸気にして、温度調整部８２にて、約３８度から４８度の吹き出し過熱水蒸気に温度調整して、蒸気パイプ７を経由して、足温熱器本体２の足乗せ台４の下部の側部から温度調整された過熱水蒸気を、足乗せ台の下部全体から足乗せ台４に、むらなく供給して、足乗せ台に乗せた足を暖めるようにしたことを特徴とする足温熱器。【選択図】図１
0003175632.tif 000002
【実用新案登録請求の範囲】
【請求項１】
足温熱器本体２と、過熱蒸気発生器８、足温熱器本体２と過熱蒸気発生器８を接続する蒸気パイプ７からなり、足温熱器本体２には、足をいれるための足入れ口３と、内部に足乗せ台４を備え、過熱蒸気発生器８は、過熱蒸気発生器８１、温度調整部８２、水タンク８３からなり、水タンク８３から供給された水を加熱して約１５０度の過熱水蒸気にして、温度調整部８２にて、約３８度から４８度の吹き出し過熱水蒸気に温度調整して、蒸気パイプ７を経由して、足温熱器本体２の足乗せ台４の下部の側部から温度調整された過熱水蒸気を、足乗せ台の下部全体から足乗せ台４に、むらなく供給して、足乗せ台に乗せた足を暖めるようにしたことを特徴とする足温熱器。
【請求項２】
過熱蒸気発生器８１は、水タンク８３から供給された水を超音波ミスト発生装置にてミストを発生させヒーター部を通過させることにより加熱して気化させ、約１５０度の過熱水蒸気にすることを特徴とする請求項１記載に足温熱器。
【考案の詳細な説明】
【技術分野】
【０００１】本考案は、過熱水蒸気を用いた足温熱器に関する。
【背景技術】
【０００２】従来の足温器は、電気式で暖める乾式足温器であったが、皮膚が乾燥したり、暖める効果が不十分であった。
【先行技術文献】
【特許文献】
【０００３】
【特許文献１】特開２００１−３１７７５７公報
【考案の概要】
【考案が解決しようとする課題】
【０００４】１）乾式足温器では、皮膚が乾燥したり、暖める効果が不十分であった。
２）保温の持続性が短い
【課題を解決するための手段】
【０００５】足温熱器本体２と、過熱蒸気発生器８、足温熱器本体２と過熱蒸気発生器８を接続する蒸気パイプ７からなり、足温熱器本体２には、足をいれるための足入れ口３と、内部に足乗せ台４を備え、過熱蒸気発生器８は、過熱蒸気発生器８１、温度調整部８２、水タンク８３からなり、水タンク８３から供給された水を加熱して約１５０度の過熱水蒸気にして、温度調整部８２にて、約３８度から４８度の吹き出し過熱水蒸気に温度調整して、蒸気パイプ７を経由して、足温熱器本体２の足乗せ台４の下部の側部から温度調整された過熱水蒸気を、足乗せ台の下部全体から足乗せ台４に、むらなく供給して、足乗せ台に乗せた足を暖めるようにしたことを特徴とする足温熱器。【０００６】過熱蒸気発生器８１は、水タンク８３から供給された水を超音波ミスト発生装置にてミストを発生させヒーター部を通過させることにより加熱して気化させ、約１５０度の過熱水蒸気にすることを特徴とする足温熱器。
【考案の効果】
【０００７】短時間で暖まり、温度の持続性が高い。
【図面の簡単な説明】
【０００８】
【図１】本考案の足温熱器の構成
【考案を実施するための形態】
【０００９】本考案は、過熱水蒸気を用いた足温熱器に関する。
図１は本考案の足温熱器の構成を示す。
本考案の足温熱器１は、足温熱器本体２と、過熱蒸気発生器８、本体２と過熱蒸気発生器８を接続する蒸気パイプ７からなる。
足温熱器本体には、蒸気漏れを防ぐ防護ゴム３２を備えた開閉式天井板３３を備える。
足温熱器本体２には、足をいれるための足入れ口３と、足を横から簡単に出し入れする為の開閉式側板ドア３１と、内部に足乗せ台４を備える。
足乗せ台４の上部には通気性マットを備える。
前面の操作パネル９には、スタート釦９１、ストップ釦９２、温度調整ダイヤル９３、タイマー９４、運転可能表示ランプ９５を備える。
過熱蒸気発生器８は、過熱蒸気発生器８１、温度調整部８２、水タンク８３からなり、過熱蒸気発生器８１は、水タンク８３から供給された水を加熱して約１５０度の過熱水蒸気にして、温度調整部８２にて、約３８度から４８度の過熱水蒸気に温度調整する。
【００１０】以下、本考案の足温熱器の動作を説明する。
過熱蒸気発生器８１は、水タンク８３から供給された水を超音波ミスト発生装置にてミストを発生させ、ヒーター部を通過させることで加熱して気化させ、約１５０度の過熱水蒸気にして、温度調整部８２にて、約３８度から４８度の吹き出し過熱水蒸気に温度調整して、蒸気パイプ７を経由して、足温熱器本体２の足乗せ台４の下部の側部から温度調整された過熱水蒸気を、足乗せ台の下部全体から足乗せ台４に、むらなく供給して、足乗せ台に乗せた足を暖める。
足を暖めた過熱蒸気は冷えて、水滴となり、ドレイン溜まりに溜めて、排水口から排出する。
【００１１】次に足温熱器の使用方法を説明する。
水タンクに水を補給後、電源スイッチを入れ、ランプによる使用可能指示が表示されたら、開閉式天井板３３を上に開き、開閉式側板ドア３１を横に開き、通気性マットを敷き、足を横又は上から入れて側板ドアを閉める。
本体内温度を、温度調整９３で設定し、タイマー９４により使用時間の設定をした後、スタートボタンを押して使用を開始する。本体内設定温度は使用途中でも個々の目的に合わせて設定変更できるので使用者自身でも簡単に変更できる。
使用途中で中止する場合は、ストップボタンを押すと使用時間の設定表示はスタート前の表示に戻る。設定時間になるとブザーが鳴り終了を表す、続けて使用したい場合は再度スタートボタンを押す。使用を終了した後は、開きドアを開き、足を出していただく。
作業終了時は通気性マットを取り出して電源スイッチを切る、
排水口よりドレインを排水する。
【００１２】
【符号の説明】
【００１３】１  足温熱器
２  足温熱器本体
３  足入口
３１  開閉式側板ドア
３２  防護ゴム
３３  開閉式天井板
４  足乗せ台
５  固定足
６  排水口
７  蒸気パイプ
８  過熱蒸気発生部
８１  過熱蒸気発生器
８２  温度調整部
８３  水タンク
９  操作パネル
９１  スタート釦
９２  ストップ釦
９３  温度調整
９４  タイマー
９５  運転可能ランプ
【図１】
0003175632.tif 000003